(57)【要約】【課題】買い物客が理解できるように、駐車券に対して買い物の順にサービスポイント合計を順次記憶印刷可能にして、公正で客観的なサービスを行える駐車券用認証システムを提供する。【解決手段】利用客が持参した駐車券Ｔに対して駐車料金や駐車時間をサービスするサービス情報を記録するに当って、サービス情報は駐車券Ｔに対してサ−ビスポイントがこのサ−ビスポイントに対応する駐車時間として、駐車券Ｔに印字・記録される。サ−ビスポイントは、テンキー入力手段４によって駐車券用認証機１に入力された購入金額に対応して決まり、駐車券Ｔから読み取った前回のサービス情報と今回のサービス情報とを加算して、合計サ−ビスポイントを駐車券Ｔに順次累積記録・印字する。【選択図】      図１０
2004334558.tif 000002
【特許請求の範囲】
【請求項１】
駐車場と契約関係にあるテナント店等が、自店を利用した利用客が所持する駐車券に対して駐車料金や駐車時間をサービスするサービス情報を順次記録する駐車券用認証機を有する駐車券用認証システムであって、
上記駐車券用認証機は、
購入金額を入力するテンキ−入力手段と、
上記入力された購入金額を読み取り、購入金額に応じたサ−ビスポイントに変換するサ−ビスポイント変換手段と、
上記駐車券認証用認証機に挿入された上記駐車券の磁気記録されたポイント合計欄から前回サービス合計ポイントを読み取り、前回サ−ビスポイントと今回サ−ビスポイントとの合計ポイントをテナントコードと共に上記駐車券の前回ポイント合計欄に続く所定欄に対して磁気記憶し、また同時に上記駐車券の所定の印字表示欄に対しても前回ポイント合計欄に続く所定欄に合計ポイントを印字する合計ポイント記録印字手段とを、
備えていることを特徴とする駐車券用認証システム。
【請求項２】
駐車券上の磁気記録ポイント合計欄は、駐車券用認証機への挿入方向に従ってテナントコードと合計ポイントとが合わせて順次記録され、又、同じく駐車券上の合計ポイント印字表示欄は、合計ポイントが順次記録されるように上記磁気記録ポイント合計欄に並行した位置に設けられていることを特徴とする請求項１に記載の駐車券用認証システム。
【請求項３】
前記駐車券に記録したサービス情報が誤っている場合に、取消し操作部をＯＮ操作した後、誤って操作した選択ボタンと同じボタンを操作することによって、駐車券に記録されている誤ったサービス情報を取消すための処理を行なうことができるサービス情報取消し手段を具備せしめたことを特徴とする請求項１又は２に記載の駐車券用認証システム。
【請求項４】
サービス情報やその上限値等の設定情報を記憶することができる設定情報記憶部と、動作モードの切替に従ってこの記憶部に記憶した設定情報を差込まれた駐車券に書き込むことができる設定情報出力手段と、この駐車券に書き込まれている設定情報を読取って上記の設定情報記憶部に記憶することができる設定情報入力手段とを具備せしめたことを特徴とする請求項１又は２に記載の駐車券用認証システム。
【請求項５】
前記設定情報入力手段が駐車券に書き込む設定情報の項目を、選択ボタンの操作によって適宜選択可能に構成したことを特徴とする請求項１又は２に記載の駐車券用認証システム。
【請求項６】
テナントコードやサ−ビスポイント等のデータを端末機に送って、買い物客の流れ等のデータを分析できるようにしたことを特徴とする請求項１又は２に記載の駐車券用認証システム。
【発明の詳細な説明】
【０００１】
【発明の属する技術分野】
本発明は、駐車場と契約している各種テナント店や、金融機関、病院、遊技場等（以下単にテナント店と略称する）の利用客（顧客）が、上記の駐車場を利用した場合に、利用客が所持する駐車券に対して、駐車料金や駐車時間のサービスを行なうためのサービス情報を記録することができるように構成した駐車券用認証システムに関するものである。
【０００２】
【従来の技術】
この種の駐車券用認証システムとして、本出願人により、特許文献１に記載の「駐車券用認証機」が提案されている。
【０００３】
【特許文献１】
特開２００２−１２３８４５号公報
【０００４】
上記の駐車券用認証機は、駐車券に記録されているサービス情報を新たなサービス情報に書替えする時に、大きなサービス内容を小さなサービス内容に書替えしてしまうような、利用客にとって不利益になる認証が行われないように工夫すると共に、サービス情報の超過の有無やその取消し、訂正の各確認を、駐車券への記録から利用客が容易に確認することができるように工夫したものである。
【０００５】
【発明が解決しようとする課題】
しかし、上記特許文献１の駐車券用認証機によれば、認証機を操作する係員が、利用客の所持する買い物領収書等から適宜判断し、例えば割り引き時間（３０分割引、１時間割引など）とか、割引料金（１００円割引、２００円割引など）といったサービス内容を認証機の操作部より直接入力し駐車券に対して記録するものであるから、操作員の判断によりサービス内容が異なったものになることもあり、従ってサービスの内容が必ずしも買い物金額の大小に沿っているものでなかったりする場合があった。況してや、複数のテナント店からサービスを受ける場合は、累積された内容の違いから結果的にサービス内容の違いが拡大される場合があった。
【０００６】
また、上記特許文献１の駐車用駐車券によれば、重複モードであって、テナント店でのサービス内容が順番に記録されているだけであるから、利用者にしてみれば、どのサービスが適用されるのかが解らず明確でなかった。
【０００７】
本発明は、上述の問題点に鑑みてなされたもので、その目的は、買い物客が理解できるように、駐車券に対して買い物の順にサ−ビスポイント合計を順次記憶印刷可能にして、公正で客観的なサービスを行える駐車券用認証システムを提供することである。
【０００８】
【課題を解決するための手段】
上記の目的を達成するために、本発明の駐車券用認証システムは、駐車場と契約関係にあるテナント店等が、自店を利用した利用客が所持する駐車券に対して駐車料金や駐車時間をサービスするサービス情報を順次記録する駐車券用認証機を有する駐車券用認証システムであって、上記駐車券用認証機は、購入金額を入力するテンキ−入力手段と、上記入力された購入金額を読み取り、購入金額に応じたサ−ビスポイントに変換するサ−ビスポイント変換手段と、上記駐車券認証用認証機に挿入された上記駐車券の磁気記録されたポイント合計欄から前回サービス合計ポイントを読み取り、前回サ−ビスポイントと今回サ−ビスポイントとの合計ポイントをテナントコードと共に上記駐車券の前回ポイント合計欄に続く所定欄に対して磁気記憶し、また同時に上記駐車券の所定の印字表示欄に対しても前回ポイント合計欄に続く所定欄に合計ポイントを印字する合計ポイント記録印字手段とを備えている。
【０００９】
また、駐車券上の磁気記録ポイント合計欄は、駐車券用認証欄への挿入方向に従ってテナントコードと合計ポイントとが合わせて順次記録され、又、同じく駐車券上の合計ポイント印字表示欄は、合計ポイントが順次記録されるように上記磁気記録ポイント合計欄に並行した位置に設けられている。
【００１０】
また、本発明では、前記駐車券に記録したサービス情報が誤っている場合に、取消し操作部をＯＮ操作した後、誤って操作した選択ボタンと同じボタンを操作することによって、駐車券に記録されている誤ったサービス情報を取消すための処理を行なうことができるサービス情報取消し手段を備えるように構成している。
【００１１】
また、本発明では、サービス情報やその上限値等の設定情報を記憶することができる設定情報記憶部と、動作モードの切替に従ってこの記憶部に記憶した設定情報を差込まれた駐車券に書き込むことができる設定情報出力手段と、この駐車券に書き込まれている設定情報を読取って上記の設定情報記憶部に記憶することができる設定情報入力手段とを備えるように構成されている。
【００１２】
また、本発明では、前記設定情報入力手段が駐車券に書き込む設定情報の項目を、選択ボタンの操作によって適宜選択可能に構成している。
【００１３】
更に本発明では、テナントコードやサ−ビスポイント等のデータを端末機に送って、買い物客の流れ等のデータを分析できるように構成している。
【００１４】
上記の各手段によれば、購入金額を直接入力する方式であるから、従来方式の如く、例えば係員が領収書を見てサービスレベルを決めるような場合に比べて、係員による判断の違いとか、意識的な操作が入る余地が少く、公正な客観的なサービスレベルを設定できる。また、購入金額からサ−ビスポイントへの変換が自動的に行えるから、間違いがなく、早く行える。
【００１５】
更に上記の手段によれば、購入額の合計金額でサービスが行われるから、経営的にも合理的である。また、前回認証の行われたテナント店のサ−ビス合計ポイントに、今回のテナント店のサ−ビス合計ポイントが加算されて記憶、並びに印字されるから、利用者にとっては、現時点での駐車場利用サ−ビスポイントが直接目でみて解かるから、解かりやすくて都合が良い。
【００１６】
駐車券には、サービスされたポイント情報がテナントコードと共に順次磁気記録されているから、駐車場精算装置にて精算する際に駐車券を挿入すれば、入庫時刻の読み取りと共に、これらサービス情報をテナントコードと共に順次読み取りすることができる。その結果、これ等の順次記録されたデータを管理コンピュ−タに送ることで、各テナント店が負担する駐車場料金を按分算出したりすることはもとより、駐車券に順番に記載されたテナント店コードを読み取ることで、買い物客の流れ等の分析データとして提供することができる。
【００１７】
【発明の実施の形態】
以下に、上述した本発明に係る駐車券用認証システム実施の形態を図面と共に説明すると、図１は本発明の外観を説明した斜視図であって、図中、符号１で全体的に示したのが本発明に係る駐車券用認証機で、２は駐車券Ｔの挿入口、３は操作パネルを示す。駐車券用認証機１には、有線もしくは無線通信手段によって、購入金額を入力するためのテンキー入力手段４が付設されている。テンキー入力手段４は、いわゆるテンキー部と、各種の機能を有するファンクションキー部と、表示部４′を備えている。但し、一般従業員用の駐車券用の認証機にはテンキー入力手段は接続しない。
【００１８】
駐車券Ｔには図２に示すように駐車情報記録エリアと認証情報記録エリアとを備えた磁気ストライプＴＡと、入庫番号、入庫年月日時分等からなる駐車情報の印字出力エリアＴＢと、サービスポイントを目視可能な状態に印字出力するサービスポイント記録エリアＴＣと、駐車場のコード番号ＴＰが設けられている。
【００１９】
上記の駐車券Ｔは駐車場の入庫口等に設置した駐車券発行機（図示省略）によって発行されるものであって、発行時にはこの発行機によって上記磁気ストライプＴＡの駐車情報記録エリアに例えば駐車場コードや、入庫の日時、通し番号等の駐車情報が磁気書き込みされて発行され、また、認証情報記録エリアには、利用客が買い物等をしたテナント店に設置されている認証機１によって、テナント店のコード番号と、駐車料金又は駐車時間をサービスするためのサービスポイントとからなるサービス情報が磁気書き込みされる仕組に成っている。
【００２０】
そして利用客が買い物をした時は、テナント係員の操作により、テンキー入力手段４のテンキー部によって、買い物金額を駐車券用認証機１に入力する。金額は１円単位まで全て入力（全桁入力、最大８桁）する。例えば、１，２３０円の買い物なら、「１」「２」「３」「０」と、テンキー部の入力ボタンを押すと、表示部４′には「１２３０」と表示される。金額入力の最後にファンクションキー部のエンターキーを押す。次いで、駐車券Ｔを認証機１に挿入すると、駐車券に割引ポイントを磁気書き込み・印字して駐車券Ｔが戻ってくる。
【００２１】
図３と図４は上記認証機１の内部構造を説明した側面図と平面図であって、これ等の図面に於いて、１Ｗ，１Ｗは認証機１の左右の機体フレーム、１Ｖはこの機体フレーム１Ｗ，１Ｗの前面部両側に取付けたパネル取付けフレーム、３Ｓはこれ等両側の取付フレーム１Ｖ，１Ｖの間にビス３Ｚ，３Ｚで取付けたパネル取付板で、この取付板３Ｓの前面に前述した操作パネル３が取付けられ、また、その下側部に前述した駐車券Ｔの挿入口２設けられている。
【００２２】
上記の挿入口２は、駐車券Ｔの挿入をガイドするガイド片２Ａ，２Ｂを備えており、且つ、これ等ガイド片２Ａ，２Ｂの内側には、左右の機体フレーム１Ｗ，１Ｗの内部に通じるガイド通路２Ｒが連設されると共に、ガイド通路２Ｒの左右両側には、差込まれた駐車券Ｔの左右両側縁をガイドするカードガイド２ＲＡ，２ＲＢが設けられ、また、ガイド通路２Ｒの内部突き当たり部分には、左右のカードストッパー１Ｘ，１Ｘが押え板１Ｋ′に押えられた状態で設けられている。
【００２３】
１Ｆは左右の機体フレーム１Ｗ，１Ｗの間に架設した支持軸、４Ｍは一方の機体フレーム１Ｗの内側面に取付けた搬送モータ、５は搬送モータ４Ｍの駆動軸４に取付けたスリット円板、６はスリット円板５の回転を計測するタイミングセンサー、９は左右の機体フレーム１Ｗ，１Ｗ間の中央部間に回転自在に架設した回転軸、７はこの回転軸９に取付けた連動プーリ８と、前記モータ４Ｍの駆動軸４に取付けた駆動プーリ４′との間に掛け渡した駆動ベルトで、この駆動ベルト７によって回転軸９が連動回転すると、回転軸９の中間部に取付けた第２搬送ローラ１８が回転して、上記ガイド通路２Ｒにガイドされて送り込まれて来る駐車券Ｔを、上側の押えローラ１８Ａとの間で搬送するように構成されている。
【００２４】
また、１７は上記認証機１の内部で、且つ、ガイド通路２Ｒの入口近くの上側面部分に設けた前記サービス情報を印字するための印字機、１６はインクリボンカセット、１６Ｈはカセットホルダー、１５は連動ベルト１４によって前記回転軸９に連動して回転して、インクリボンカセット１６のインクリボンを送るリボン送り軸を示し、更に、１２は入口近くの前記左右の機体フレーム１Ｗ，１Ｗの間に架設したローラ軸で、上記回転軸９の間に掛渡した連動ベルト１１によってこのローラ軸１２が連動回転すると、ローラ軸１２のほぼ中央部に設けた第１搬送ローラ１３が連動回転して、上側の押えローラ１３Ａとの間で差込口２に差込まれた駐車券Ｔを搬送するように構成されている。
【００２５】
更に図中、１９は駐車券Ｔの磁気ストライプＴＡに対して前述したサービス情報を磁気で書き込んだり、この情報を読取ったりするリード・ライター（磁気ヘッド）、２０，２１，２２は前記ガイド通路２Ｒの入口部分と、その中央部分の左右に設けたカード検知用の第１センサーと、カードの有無を検知する出す２センサーと、カード送りの正否をチエックする第３センサーであって、第１センサーが差込まれた駐車券Ｔを検知すると、搬送モータ４Ｍが駆動して各搬送ローラ１３，１８を回転して、差込まれた駐車券Ｔを搬送する一方、第２センサー２１が搬送して来る駐車券Ｔを検知しない場合は、搬送モータ４Ｍにブレーキを掛けてカード搬送を停止する仕組に成っている。
【００２６】
また、２３は一方の機体フレーム１Ｗの側面に取付けたプリント基板で、２４，２５，２６はこのプリント基板２３に取付けたモード切替スイッチと、設定表示器と、エラー警報用のブザーであって、これ等スイッチ２４と表示器２６は、認証機１の上カバーを外すことによって夫々スイッチ操作及び目視確認可能に構成されているが、これ等各部材を認証機１の外側部に設けてもよく、その選択は任意とする。
【００２７】
図５は、前記操作パネル３の構成の一例を説明した正面図であって、このパネル３には例えば合計５種類のサービス情報を選択して入力することができる５個の選択ボタン３Ａ，３Ｂ，３Ｃ，３Ｄ，３Ｅと、駐車券Ｔに記録したサービス情報を取消したり訂正したりする場合に用いる訂正ボタン３Ｆと、これ等各ボタン３Ａ〜３Ｆ毎に設けたＬＥＤランプ３Ｐ…と、各情報のリード・ライトにエラーが発生したり、サービス情報が上限値を超えた場合等に点灯するエラーランプ３Ｙと、電源ランプ３Ｘが設けられている。
【００２８】
また、上記の各選択ボタン３Ａ〜３Ｅは、前述したモード切替スイッチ２４を設定モードに切替えることによって、認証機１のメモリ３１（図６）に対して、図７の（イ）図に示すように前述した設定表示器２５を見ながら、（ロ）図並びに（ハ）図に示すような認証に必要な各種の設定情報を、各項目毎にその内容を具体的に入力設定できる仕組に成っている。しかし、これ等の選択ボタン３Ａ〜３Ｅを認証機１に設けるか否かは任意とする。
【００２９】
図７の（イ）図に於いて、▲１▼と▲２▼は前述した設定表示器２５に設けた設定項目の表示部と設定内容の表示部であって、設定内容には、使用可能な駐車場の番号（コード）や、サービスを受けることができるテナントの番号（コード）、各選択ボタン３Ａ〜３Ｅごとのサービス情報、駐車料金の掛売りモードを書替えモードにするか重複モードするかの情報、サービスを受けられる上限回数、サービスを受けられる上限時間、及び、サービスを受けられる上限金額と言った、各種の設定内容が存在する。
【００３０】
駐車券Ｔに割り引きポイントを磁気書き込み及び印字する場合に、駐車券用認証機１に予め設定されているプログラムにより例えば１０００円単位のまるめ処理を行う。これは、１００円の位の数字による切上／切捨処理である。まるめ処理をした結果、１０００円に満たない場合エラーとする（エンターキーを押した直後）。また、例えば３００００円以上の入力は、強制的に３００００円にする。万、千の位の数字２桁を割り引きポイントとして磁気書き込みする。割り引きポイントは合算値として印字する。戻ってきた駐車券Ｔを抜き取った時点で入力した金額表示が消える。
【００３１】
これ等の各種設定内容のうち、例えば項目「０７」のサービス情報では、前述した選択ボタン３Ａ〜３Ｅを、Ａ〜Ｅまでのサービス時間又はサービス金額を設定登録するための種別選択用のボタンとして使用するものであって、例えば、選択ボタン３ＡをＯＮした場合には、「３０分割引」又は「１００円割引」のサービス情報を記号「Ａ」と略して駐車券Ｔに記録し、また、選択ボタン３ＢをＯＮした場合は、「４５分割引」又は「１５０円割引」のサービス情報を記号「Ｂ」として駐車券Ｔに記録でき、更に、選択ボタン３Ｃ，３Ｄ，３Ｅも同様な割引情報を選択できる仕組とすることもでき、その結果、図示した認証機１では、合計５種類のサービス情報を各選択ボタン３Ａ〜３Ｅの選択によって認証可能であるが、これ等サービス情報の数は選択ボタンの数に比例して増減することは勿論である。尚、これ等の認証機能を認証機１に具備させるか否かの点が任意であることは、前述の通りである。
【００３２】
図６は、上述した本発明に係る駐車券用認証機の電気的構成を説明したブロック図であって、図中、３０は制御部の中心を構成するＣＰＵ、３１は各種のシステムプログラムを格納すると共に、前述した設定情報を格納可能に構成したメモリで、これ等ＣＰＵ３０とメモリ３１の間にバス３２を介して接続したインターフエイス３３に、上述した各種の部材が接続されていて、夫々がメモリ３１に格納されたプログラムに従って制御作動される仕組に成っている。
【００３３】
加えて、上記のメモリ３１には、例えば前記のリード・ライター１９が駐車券Ｔから読取った前回のサービス情報と、選択ボタン３Ａ〜３Ｅの操作によって上記リード・ライター１９が上記の駐車券Ｔに書き込む今回のサービス情報を加算する手段と、駐車券Ｔの磁気ストライプＴＡとサービスポイント記録エリアＴＣに対して、上記のリード・ライター１９と印字機１７に今回のサービス情報を加算して書き込み及び印字させる手段が、必要に応じて具備されている。
【００３４】
更に加えて、上記のメモリ３１には、このメモリ３１に記憶した設定情報を駐車券Ｔに書き込むための「設定情報出力手段」と、この駐車券Ｔに書き込まれている設定情報をメモリ３１に書き込むことができる「設定情報入力手段」、即ち、設定情報をコピーするためのコピー手段を遂行するプログラムも格納されている。
【００３５】
次に、上述した本発明の認証機１によるサービス情報の記録処理に関する手順を図８乃至図１２に示したフローチヤートに従って説明する。図８はサービス情報を書替えする前記請求項１に記載した処理手順を説明したものであって、ステップＳ１０及びＳ１１で前回と今回の各サービス情報Ｓ１，Ｓ２を確認し、次いで、ステップＳ１２，Ｓ１３でそれぞれサービスデータを作成した後、ステップＳ１４に進んでサービス内容の書き込み処理を行う。
【００３６】
また、図９はサービス情報の合計が上限値を超えた場合の処理手順を説明したものであって、ステップＳ２０でサービス上限情報Ｔ１が確認され、ステップＳ２１でサービス合計情報Ｔ２が確認されると、ステップＳ２２に進んでＴ２＋今回サービスをＴ２に置き換えて、ステップＳ２３で印字データを作成し、次いで、ステップＳ２４で上限値のチエックを行なって、ステップＳ２５で駐車券に記録・印字する。
【００３７】
１枚の駐車券Ｔに５回までの認証ができる。各テナント店での買い物金額（例えば１０００円単位）を割り引きポイント（１ポイント単位）に置き換えて処理して、例えば最大３０ポイントとする。駐車券Ｔには、各店の店Ｎｏ．と割り引きポイントを磁気書き込み・印字する。
【００３８】
磁気書き込み・印字例としては、駐車券Ｔのサービスポイント記録エリアＴＣに駐車券挿入方向に沿って、割り引きポイントが、例えば０１，０３，０７，１２，３０と印字される。ここで、例えば、Ａ店で１０００円の買い物をすれば認証１回目として「０１」が印字され、Ｂ店で２０００円の買い物をすれば２回目の認証として１０００円と２０００円分に対応する「０３」が、Ｃ店で４０００円の買い物をすれば三回目の認証として３０００円と４０００円分に対応する０７が印字される。その結果、買い物金額が５０００円（５ポイント）以上なので、駐車場の料金精算機（図示せず）によって駐車料金から１時間分が割り引かれる。差額を現金などで精算することもできる。
【００３９】
認証された駐車券Ｔは上記の精算機で割り引きポイントの合計が、５〜９ポイントなら一時間割り引きし、割り引きポイントの合計が１０〜２９ポイントなら２時間割り引きし、割り引きポイントの合計が３０ポイントなら３時間割り引きする。１度の認証で駐車料金を無料（金額割り引き処理、後請求）にすることもできる。この場合、割り引きポイントとして、「００」を磁気書き込み・印字する。
【００４０】
また図１１に示したステップＳ３０〜Ｓ４１の各処理から成るフローチヤートは、認証機１のメモリ３１（図６）に格納されている図７の（ハ）図に示したような各種の設定内容からなる設定情報を、駐車券Ｔの磁気ストライプＴＡに磁気書き込みする設定情報出力処理（コピー処理）の手順を説明したものであり、更に、図１２に示したステップＳ５０〜Ｓ６１の各処理からなるフローチヤートは、上記図１１に示したフローチヤートに従って設定情報を磁気書き込みした駐車券Ｔを用いて、この駐車券Ｔに書き込まれている設定情報を他の認証機１のメモリ３１に書き込んで、設定メモリを書き替える処理手順を説明したものである。
【００４１】
図１０は、本発明に係る駐車券用認証機１の全体の構成を明示した構成図であって、図中、３Ｘは前述した選択ボタン３Ａ〜３Ｅから成るサービス情報入力操作部、３ＦＸは前述した訂正ボタン３Ｆから成る訂正・取消し操作部、４ＭＸは前述した搬送モータ４Ｍから成るカード搬送部、１７Ｘ，１９Ｘは前述した印字機１７とリード・ライター１９とから成るサービス情報記録部、１９Ｘは同じくリード・ライター１９から成るサービス情報読取部を示す。
【００４２】
更に図中、２０Ｘは前述した第１センサー〜第３センサー２０，２１，２２から成るカード検知部、２４Ｘは前述したモード切替スイッチ２４から成るモード切替操作部、３１Ｘは前述したメモリ３１から成る設定情報記憶部である。
【００４３】
【発明の効果】
以上述べた次第で、本発明に係る駐車券用認証システムによれば、次のような効果が得られる。
（１）  購入金額を直接入力する方式であるから、従来方式のように例えば係員が領収書を見てサービスレベルを決めるような場合に比べて、係員による判断の違いとか、意識的な操作が入る余地が少く、公正で客観的なサービスレベルを設定することができる。
（２）  購入金額からサービスポイントへの変換が自動的に行えるから、間違いがなく変換を早く行うことができる。
（３）  購入金額の合計金額でサービスが行われるから、経営的にも合理的である。
（４）  前回認証の行われたテナント店のサービスポイントと合計ポイントに、今回のテナント店でのサービス合計ポイントが加算されて記憶、並びに印字されるため、利用者にとっては、現時点での駐車場利用サービスポイントが直接目で見て解るから、解りやすくて都合が良い。
（５）  駐車券には、サービスされたポイント情報がテナントコードと共に順次記録されているから、駐車場精算装置にて精算する際に駐車券を挿入すれば、入庫時刻の読み取りと共に、これらのサービス情報をテナントコードと共に順次に読み取りすることができる。その結果、これらの順次記録されたデータを管理コンピュ−タに送ることで、各テナント店が負担する駐車場料金を按分算出したりすることはもとより、駐車券に順番に記載されたテナント店コードを読み取ることで、買い物客の流れ等の分析データとして提供できる。
その結果、公正で客観的なサービスを可能にした駐車券用認証システムを提供することができる。
【図面の簡単な説明】
【図１】本発明に係る駐車券用認証システムの外観を説明した斜視図である。
【図２】本発明で用いる駐車券を示した構成図である。
【図３】本発明に係る駐車券用認証システムの内部構造を説明した側面図である。
【図４】同じく本発明に係る駐車券用認証システムの内部構造を説明した平面図である。
【図５】操作パネルの構成を説明した正面図である。
【図６】本発明の電気的構成を説明したブロック図である。
【図７】（イ）図は設定表示器の構成図、（ロ）図は認証機のメモリに設定される設定情報の代表機能を説明した説明図、（ハ）図は各設定情報の設定内容を説明した説明図である。
【図８】サービス情報を書替えする場合の処理手順を説明したフローチヤートである。
【図９】サービス情報が上限値を超えた場合の処理手順を説明したフローチヤートである。
【図１０】本発明に係る駐車券用認証システムの全体を明示した構成図である。
【図１１】メモリに格納されている設定情報を駐車券にコピーする場合の処理手順を説明したフローチヤートである。
【図１２】駐車券にコピーした設定情報を他の認証機のメモリに書き込む手順を説明したフローチヤートである。
【符号の説明】
Ｔ              駐車券
１              認証機
３Ｘ            サービス情報入力操作部
３ＦＸ          訂正・取消し操作部
４              テンキー入力手段
１７Ｘ，１９Ｘ            サービス情報記録部
２４Ｘ          モード切替操作部
３１Ｘ          設定情報記憶部
【図１】
2004334558.tif 000003
【図２】
2004334558.tif 000004
【図３】
2004334558.tif 000005
【図４】
2004334558.tif 000006
【図５】
2004334558.tif 000007
【図６】
2004334558.tif 000008
【図７】
2004334558.tif 000009
【図８】
2004334558.tif 000010
【図９】
2004334558.tif 000011
【図１０】
2004334558.tif 000012
【図１１】
2004334558.tif 000013
【図１２】
2004334558.tif 000014